(57)【要約】【課題】遊技球回収通路を枠部材の左右に亘って広範囲に形成可能な弾球遊技機を提供する。【解決手段】遊技球回収通路１７０は、前枠２に設けられた収容枠１００の左右に亘り上方が開口して形成されており、収容枠１００の下側に、遊技盤を保持する下部ロック機構１２６が取り付けられる下部ロック機構取付部１２７が板状に形成され、下部ロック機構取付部１２７は、板厚方向の形状が遊技球回収通路１７０の上方に部分的に重なるように収容枠１００から後方に突出して形成される。【選択図】図７
2016131605.tif 000002
【特許請求の範囲】
【請求項１】
前面側に遊技球を用いた遊技を行う遊技領域が設けられた遊技盤と、
前記遊技盤を収容可能な収容枠を有する枠部材と、
前記収容枠の下側に取り付けられて前記収容枠に収容された前記遊技盤を着脱可能に保持するロック機構と、
前記枠部材における前記収容枠の下方後側に設けられ、前記遊技盤の後面側に達した遊技球が排出口に向けて流下する遊技球回収通路が形成された通路部材とを備え、
前記遊技球回収通路は、前記収容枠の左右に亘り上方が開口して形成されており、
前記収容枠の下側に、前記ロック機構が取り付けられるロック機構取付部が板状に形成され、
前記ロック機構取付部は、板厚方向の形状が前記遊技球回収通路の上方に部分的に重なるように前記収容枠から後方に突出して形成されることを特徴とする弾球遊技機。
【請求項２】
前記ロック機構保持部の上端部に、前記遊技球回収通路に向けて後方に傾斜する傾斜部が設けられることを特徴とする請求項１に記載の弾球遊技機。
【請求項３】
前記遊技球回収通路は、
前記ロック機構保持部の平面視後側に並んで、前記ロック機構保持部の上端部よりも低い高さで左右方向に傾斜して延びるように形成され、遊技球を１列で流下させることが可能な前側傾斜通路部と、
前記前側傾斜通路部の平面視後側に並んで、前記前側傾斜通路部よりも低い高さで左右方向に傾斜して延びるように形成され、遊技球を前記排出口に向けて１列で流下させることが可能な後側傾斜通路部とを有することを特徴とする請求項１または２に記載の弾球遊技機。
【発明の詳細な説明】
【技術分野】
【０００１】
本発明は、ぱちんこ遊技機等の弾球遊技機に関する。
【背景技術】
【０００２】
ぱちんこ遊技機に代表される弾球遊技機は、遊技球による遊技を行う遊技領域が設けられた遊技盤を保持する枠部材に、払出装置および各種制御基板が装着された裏機構盤が取り付けられて構成される。そして、発射機構により遊技領域の上側に打ち出した遊技球を落下させる過程で、遊技領域内に設けた各種の入賞装置に入賞させる遊技が行われる。枠部材の下側部分と裏機構盤の下側部分との間に、上方が開口した遊技球回収通路が形成される（例えば、特許文献１を参照）。入賞装置もしくはアウト口を通過して遊技盤の後面側に達した遊技球は、この遊技球回収通路を流下して排出口から排出される。
【先行技術文献】
【特許文献】
【０００３】
【特許文献１】特開２００３−１９０５３４号公報
【発明の概要】
【発明が解決しようとする課題】
【０００４】
入賞装置の配置の自由度を高めるため、遊技球回収通路は、枠部材の左右に亘って広範囲に形成されることが好ましい。しかしながら、遊技球回収通路を枠部材の左右に亘って広範囲に形成しようとすると、遊技盤を保持するロック機構の枠部材に対する取り付け強度が低下するおそれがあった。
【０００５】
本発明は、このような課題に鑑みてなされたものであり、遊技球回収通路を枠部材の左右に亘って広範囲に形成可能な弾球遊技機を提供することを目的とする。
【課題を解決するための手段】
【０００６】
このような目的達成のため、本発明に係る弾球遊技機は、前面側に遊技球を用いた遊技を行う遊技領域が設けられた遊技盤と、前記遊技盤を収容可能な収容枠を有する枠部材と、前記収容枠の下側に取り付けられて前記収容枠に収容された前記遊技盤を着脱可能に保持するロック機構と、前記枠部材における前記収容枠の下方後側に設けられ、前記遊技盤の後面側に達した遊技球が排出口に向けて流下する遊技球回収通路が形成された通路部材とを備え、前記遊技球回収通路は、前記収容枠の左右に亘り上方が開口して形成されており、前記収容枠の下側に、前記ロック機構が取り付けられるロック機構取付部が板状に形成され、前記ロック機構取付部は、板厚方向の形状が前記遊技球回収通路の上方に部分的に重なるように前記収容枠から後方に突出して形成される。
【発明の効果】
【０００７】
本発明によれば、遊技球回収通路を枠部材の左右に亘って広範囲に形成することができる。
【図面の簡単な説明】
【０００８】
【図１】ぱちんこ遊技機からガラス枠を取り外した状態を示す正面図である。
【図２】ガラス枠を前方から見た斜視図である。
【図３】ぱちんこ遊技機の背面図である。
【図４】前枠の正面図である。
【図５】遊技盤の下側部分を後方から見た斜視図である。
【図６】前枠を前方から見た斜視図である。
【図７】前枠の平断面図である。
【図８】前枠の下側部分を示す側断面図である。
【図９】図７の矢印IX−IXの方向から見た断面図である。
【図１０】図７の矢印X−Xの方向から見た断面図である。
【図１１】図７の矢印XI−XIの方向から見た断面図である。
【発明を実施するための形態】
【０００９】
以下、本発明の好ましい実施形態について図面を参照して説明する。本実施形態に係る弾球遊技機としてぱちんこ遊技機ＰＭを図１〜図３に示しており、まず、この図を参照してぱちんこ遊技機ＰＭの全体構成について説明する。本実施形態において、図２の各矢印で示す方向をそれぞれ、上下方向、前後方向、左右方向として説明する。
【００１０】
［ぱちんこ遊技機の全体構成］
始めに、ぱちんこ遊技機ＰＭの前面側の基本構造を説明する。ぱちんこ遊技機ＰＭは、図１に示すように、外郭方形枠サイズに構成された縦向きの固定保持枠をなす外枠１と、これに合わせた方形枠サイズに構成されて開閉搭載枠をなす前枠２とを主体に構成される。前枠２は、外枠１および前枠２の左側縁部に配設された上下のヒンジ機構３ａ，３ｂにより、外枠１の前側開口部に対して横開き開閉および着脱が可能に取り付けられる。また、前枠２は、右側縁部に設けられたダブル錠と称される施錠装置４を利用して、常には外枠１と係合連結された閉鎖状態に保持される。
【００１１】
前枠２の前面側には、図２に示すように、この前枠２の上部前面域に合わせた方形状のガラス枠５が上下のヒンジ機構３ａ，３ｂを利用して横開き開閉および着脱可能に組み付けられる。ガラス枠５は、上述の施錠装置４を利用して、常には前枠２の前面を覆う閉鎖状態に保持される。図１に示すように、前枠２の上側に設けられた収容枠１００に遊技盤１０が着脱可能にセット保持され、常には閉鎖保持されるガラス枠５の複層ガラス５ａを通して、遊技盤１０の前面に設けられた遊技領域ＰＡを視認可能に臨ませるようになっている。
【００１２】
遊技盤１０は、透明の樹脂材料を用いて板状に形成されたベース部材１１の前面側に、内外のレール部１２，１３により囲まれて略円形状の遊技領域ＰＡが形成されるようになっている。詳細な図示を省略するが、遊技盤１０の遊技領域ＰＡには、多数本の遊技釘とともに、遊技球が入球可能な一般入賞装置、始動入賞装置、大入賞装置等の各種入賞装置（図示せず）、遊技の展開状態に応じて演出を行う演出表示装置、可動装飾装置を備えたセンター飾り（図示せず）等が取り付けられている。また、遊技領域ＰＡの下端部には、遊技球が通過可能なアウト口１８が形成されている。
【００１３】
外レール部１２は、下側が開いた円弧状に形成されており、発射機構２２から発射された遊技球を遊技領域ＰＡへ導くようになっている。内レール部１３は、右側が開いた円弧状に形成されており、遊技盤１０（ベース部材１１）の前面において外レール部１２の左側部分に対し所定間隔を空けるように配設されることで、外レール部１２の左側部分との間に発射通路１５が形成されるようになっている。
【００１４】
図２に示すように、ガラス枠５の下部前面側には、遊技球を貯留する上下の球皿（上球皿６ａおよび下球皿６ｂ）が設けられる。なお、上球皿６ａおよび下球皿６ｂは、ガラス枠５の左右の中心に対して左側に寄って配置される。これにより、ガラス枠５の下部前面側の中央に、所定の演出操作を行うための演出操作装置２７が取り付けられる。また、ガラス枠５における演出操作装置２７の右方には、所定の演出設定操作を行うための演出設定操作スイッチ２８や、遊技球の貸球操作を行うための球貸し操作スイッチ２９が取り付
けられる。ガラス枠５の上部前面側には、発光ダイオード（ＬＥＤ）やランプ等の電飾装置７や、遊技の展開状態に応じて効果音を発生させるスピーカ８が設けられる。
【００１５】
図１に示すように、前枠２の右下部には、遊技球の発射操作を行う発射ハンドル９が設けられる。前枠２の下部におけるガラス枠５の後側の領域（以降、遊技補助盤２０と称する）には、上球皿２１０に貯留された遊技球を１球ずつ送り出す整流器２１、整流器２１から送り出された遊技球を遊技領域ＰＡに向けて打ち出す発射機構２２、発射機構２２の作動を制御する発射制御基板２３等が設けられる。
【００１６】
続いて、ぱちんこ遊技機ＰＭの後面側の基本構造を説明する。図３に示すように、前枠２の後面側には、中央に前後連通する窓口を有して前枠２よりも幾分小型の矩形枠状に形成された裏機構盤３０が取り付けられている。裏機構盤３０の各部には、遊技施設側から供給される遊技球を貯留するタンク部材３３、タンク部材３３から供給される遊技球を流下させる樋部材３４、樋部材３４を流下する遊技球を払い出す賞球払出ユニット３５、賞球払出ユニット３５から払い出された遊技球を上球皿６ａもしくは下球皿６ｂに流下させる裏側通路部材３６等が設けられている。また、裏機構盤３０には、遊技盤１０の後側を全体的に覆う遊技盤カバー３９が取り付けられる。
【００１７】
遊技盤１０の後面側には、ぱちんこ遊技機ＰＭの作動を統括的に制御する主制御基板４０（図５を参照）や、遊技展開に応じた画像表示、効果照明、効果音等の演出全般の制御を行う副制御基板４１（図５を参照）等が取り付けられている。これに対して、裏機構盤３０の後面側には、遊技球の払い出しに関する制御を行う払出制御基板４２や、遊技施設側から受電して各種制御基板や電気・電子部品に電力を供給する電源基板４３等が取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル９を回動操作することにより遊技が開始される。発射ハンドル９が回動操作されると、上球皿６ａに貯留された遊技球が、整流器２１によって１球ずつ発射機構２２に送り出され、発射機構２２により遊技領域ＰＡに打ち出されて、以降パチンコゲームが展開される。
【００１９】
［収容枠の構成］
次に、図４〜図６を追加参照して、前枠２の上側に設けられた収容枠１００の詳細について説明する。収容枠１００は、図４および図６に示すように、前枠２の上部にから中央に掛けて形成される。収容枠１００の左辺部上側には、遊技盤１０の左上部前面側を支持する上部揺動支持部１０１が形成される。上部揺動支持部１０１は、収容枠１００の内側（右方）に突出する板状に形成される。収容枠１００の左辺部下側には、遊技盤１０の左下部前面側を支持する第１下部揺動支持部１０３が形成される。第１下部揺動支持部１０３は、上部揺動支持部１０１と同様に、収容枠１００の内側（右方）に突出する板状に形成される。収容枠１００の下辺部左端には、遊技盤１０の左下部底面側を支持する第２下部揺動支持部１０４が形成される。第２下部揺動支持部１０４は、遊技盤１０の左下部底面側が摺動可能な平板状に形成される。上部揺動支持部１０１、第１下部揺動支持部１０３、および第２下部揺動支持部１０４は、収容枠１００に対して遊技盤１０を斜め方向に着脱可能な着脱位置と、遊技盤１０が収容枠１００に保持される保持位置との間で、遊技盤１０を揺動可能に支持する。
【００２０】
収容枠１００の下辺部左側には、遊技盤１０を揺動させ易くするためのガイドリブ１０
５が形成される。ガイドリブ１０５は、第２下部揺動支持部１０４の右側に隣接して形成される。収容枠１００の下辺部中央には、遊技盤１０の中央下部底面側を支持する下側支持部１０７が形成される。また、収容枠１００の左辺部上側における上部揺動支持部１０１の後方に、上部押さえ部材１１１が取り付けられる。上部押さえ部材１１１は、板バネ等の弾性力を有する金属板材を用いて形成され、遊技盤１０の左上部後面側を前方に（上部揺動支持部１０１の方に）押さえるようになっている。また、収容枠１００の左辺部下側における第１下部揺動支持部１０３の後方に、下部押さえ部材１１２が取り付けられる。下部押さえ部材１１２は、上部押さえ部材１１１と同様に形成され、遊技盤１０の左下部後面側を前方に（第１下部揺動支持部１０３の方に）押さえるようになっている。
【００２１】
収容枠１００の上辺部右側には、板状の上部ロック機構取付部１２２が形成され、上部ロック機構取付部１２２の前面側に上部ロック機構１２１が取り付けられる。上部ロック機構１２１は、前述の保持位置に揺動した遊技盤１０の右上部を係脱可能に固定保持する。収容枠１００の下辺部右側には、板状の下部ロック機構取付部１２７が形成され、下部ロック機構取付部１２７の前面側に下部ロック機構１２６が取り付けられる。下部ロック機構１２６は、前述の保持位置に揺動した遊技盤１０の右下部を係脱可能に固定保持する。
【００２２】
収容枠１００の上辺部の後側に、裏機構盤３０の上側部分が取り付けられ、収容枠１００の左辺部の後側に、補強板１３０を介して裏機構盤３０の左側部分が取り付けられる。補強板１３０は、金属板材を用いて上下に延びる板状に形成され、補強板１３０の前部が収容枠１００の左辺部の後側に結合されるとともに、補強板１３０の後部が裏機構盤３０の左側部分に結合される。
【００２３】
収容枠１００の下方後側（遊技補助盤２０の後側）に、前側通路カバー１４０を介して裏機構盤３０の下側部分が取り付けられる。遊技補助盤２０の後側に位置する前側通路カバー１４０と遊技補助盤２０の後面側を覆う補助盤カバー１６０との間に、遊技領域ＰＡを転動流下して遊技盤１０の後面側に排出された遊技球を、前側通路カバー１４０の下側部分に形成された球排出口１７８（図８を参照）に向けて流下させる遊技球回収通路１７０が形成される。また、前側通路カバー１４０の右上部にコネクタ取付部１４５が後方に突出して形成され、このコネクタ取付部１４５に、前枠２側に設けられた電気部品（例えば、ガラス枠５の電飾装置７およびスピーカ８や、裏機構盤３０の払出制御基板４２および電源基板４３等）と電気的に接続された枠部材側コネクタ部１５０が取り付けられる。
【００２４】
枠部材側コネクタ部１５０は、主基板用枠部材側コネクタ１５１と、第１副基板用枠部材側コネクタ１５３と、第２副基板用枠部材側コネクタ１５５と、コネクタ保持部材１５７とを有して構成される。主基板用枠部材側コネクタ１５１は、主基板用枠部材側ケーブル（図示せず）の一端に設けられ、前枠２側に設けられた主制御基板４０に関わる電気部品（例えば、裏機構盤３０の払出制御基板４２および電源基板４３等）と電気的に接続される。第１副基板用枠部材側コネクタ１５３は、第１副基板用枠部材側ケーブル（図示せず）の一端に設けられ、前枠２側に設けられた副制御基板４１に関わる電気部品（例えば、裏機構盤３０の電源基板４３等）と電気的に接続される。第２副基板用枠部材側コネクタ１５５は、第２副基板用枠部材側ケーブル（図示せず）の一端に設けられ、前枠２側に設けられた副制御基板４１に関わる電気部品（例えば、ガラス枠５の電飾装置７およびスピーカ８等）と電気的に接続される。
【００２５】
主基板用枠部材側コネクタ１５１、第１副基板用枠部材側コネクタ１５３、および第２副基板用枠部材側コネクタ１５５は、コネクタ保持部材１５７の前面側に左右方向に略平行に並んで取り付け保持される。コネクタ保持部材１５７は、主基板用枠部材側コネクタ１５１、第１副基板用枠部材側コネクタ１５３、および第２副基板用枠部材側コネクタ１
５５を保持して、前側通路カバー１４０のコネクタ取付部１４５に着脱可能に取り付けられる。
【００２６】
収容枠１００にセット保持される遊技盤１０（ベース部材１１）の後面側には、図５に示すように遊技盤ブラケット５０が取り付けられる。遊技盤ブラケット５０の後部左側に、各基板ケース（図示せず）に収容された主制御基板４０および副制御基板４１が重なって取り付けられる。遊技盤ブラケット５０の後部右側に、遊技盤１０側に設けられた電気部品（主制御基板４０および副制御基板４１）と電気的に接続された遊技盤側コネクタ部６０が取り付けられる。遊技盤側コネクタ部６０は、主基板用コネクタ基板６１と、副基板用コネクタ基板６６と、基板保持部材７１と、コネクタカバー７６とを有して構成される。
【００２７】
主基板用コネクタ基板６１の実装面には、主基板用遊技盤側コネクタ６２と主基板接続コネクタ（図示せず）とが左右に並んで配設される。主基板用コネクタ基板６１は、主基板接続コネクタに繋がる主基板接続ケーブル（図示せず）を介して、主制御基板４０と電気的に接続される。主基板用遊技盤側コネクタ６２は、主制御基板４０と電気的に接続されるように構成される。主基板用遊技盤側コネクタ６２は、遊技盤１０が前述の保持位置に揺動すると、枠部材側コネクタ部１５０の主基板用枠部材側コネクタ１５１と嵌合して電気的に接続されるようになっている。
【００２８】
副基板用コネクタ基板６６の実装面には、下部において第１副基板用遊技盤側コネクタ６７と第２副基板用遊技盤側コネクタ６８とが左右に並んで配設され、上部において第１副基板接続コネクタ（図示せず）と第２副基板接続コネクタ（図示せず）とが上下に並んで配設される。副基板用コネクタ基板６６は、第１副基板接続コネクタに繋がる第１副基板接続ケーブル（図示せず）と、第２副基板接続コネクタに繋がる第２副基板接続ケーブル（図示せず）とを介して、副制御基板４１と電気的に接続される。第１副基板用遊技盤側コネクタ６７は、遊技盤１０が前述の保持位置に揺動すると、枠部材側コネクタ部１５０の第１副基板用枠部材側コネクタ１５３と嵌合して電気的に接続されるようになっている。第２副基板用遊技盤側コネクタ６８は、遊技盤１０が前述の保持位置に揺動すると、枠部材側コネクタ部１５０の第２副基板用枠部材側コネクタ１５５と嵌合して電気的に接続されるようになっている。
【００２９】
主基板用コネクタ基板６１および副基板用コネクタ基板６６（すなわち、主基板用遊技盤側コネクタ６２、第１副基板用遊技盤側コネクタ６７、および第２副基板用遊技盤側コネクタ６８）は、基板保持部材７１の後面側に左右に並んで取り付け保持される。基板保持部材７１は、主基板用コネクタ基板６１および副基板用コネクタ基板６６を保持して、遊技盤ブラケット５０の後部右側に取り付けられる。コネクタカバー７６は、基板保持部材７１の上縁部後側に取り付けられ、主基板用コネクタ基板６１の主基板接続コネクタ（図示せず）と、副基板用コネクタ基板７６の第１副基板接続コネクタ（図示せず）および第２副基板接続コネクタ（図示せず）とを覆うように構成される。
【００３０】
以上のように構成される収容枠１００に遊技盤１０を装着するには、まず、遊技盤１０の左側部を、上部揺動支持部１０１および第１下部揺動支持部１０３の後側の空間に右前方から斜めに挿入し、遊技盤１０を前述の着脱位置にセットする。そして、着脱位置にセットした遊技盤１０を後方に向けて揺動させて、遊技盤１０を前述の保持位置まで揺動させる。これにより、遊技盤１０の右上部が上部ロック機構１２１に固定保持されるとともに、遊技盤１０の右下部が下部ロック機構１２６に固定保持された状態で、保持位置に揺動した遊技盤１０が収容枠１００にセット保持される。
【００３１】
なお、遊技盤１０が保持位置に揺動する際、主基板用遊技盤側コネクタ６２と主基板用
枠部材側コネクタ１５１とが嵌合して電気的に接続される。これにより、遊技盤１０側に設けられた主制御基板４０と、前枠２側に設けられた主制御基板４０に関わる電気部品（例えば、裏機構盤３０の払出制御基板４２および電源基板４３等）とが電気的に接続される。また、遊技盤１０が保持位置に揺動する際、第１副基板用遊技盤側コネクタ６７および第２副基板用遊技盤側コネクタ６８と第１副基板用枠部材側コネクタ１５３および第２副基板用枠部材側コネクタ１５５とが嵌合して電気的に接続される。これにより、遊技盤１０側に設けられた副制御基板４１と、前枠２側に設けられた副制御基板４１に関わる電気部品（例えば、裏機構盤３０の電源基板４３、ガラス枠５の電飾装置７およびスピーカ８等）とが電気的に接続される。
【００３２】
［遊技球回収通路の構成］
次に、図７〜図１１を追加参照して、収容枠１００の下方後側（遊技補助盤２０の後側）に設けられた遊技球回収通路１７０について説明する。遊技球回収通路１７０は、図６〜図７に示すように、収容枠１００の下辺部の全体に沿って上方が開口するように形成され、幅広傾斜通路部１７１と、第１前側傾斜通路部１７２と、連絡通路部１７３と、第２前側傾斜通路部１７４と、後側傾斜通路部１７５とを有して構成される。
【００３３】
幅広傾斜通路部１７１は、前後方向に遊技球約２個分の幅を有して、補助盤カバー１６０の左上端部から右側に向けて右下方に傾斜するように形成される。幅広傾斜通路部１７１は、遊技盤１０のベース部材１１と前側通路カバー１４０の左前部に形成された第１後側通路壁部１４１とに、前後を仕切られて形成され、幅広傾斜通路部１７１に落下した遊技球Ｂ１が右方の第１前側傾斜通路部１７２に向けて流下するようになっている。なお、第１後側通路壁部１４１は、前側通路カバー１４０の左前部に前方に突出して形成され、左右方向に略水平に延びている。第１後側通路壁部１４１の上面は、前方に向けて僅かに下傾しており、第１後側通路壁部１４１の上面に落下した遊技球が前方の幅広傾斜通路部１７１もしくは第１前側傾斜通路部１７２に向けて落下するようになっている。
【００３４】
幅広傾斜通路部１７１の右端部後列側に繋がって第１前側傾斜通路部１７２が形成される。第１前側傾斜通路部１７２は、前後方向に遊技球約１個分の幅を有して、補助盤カバー１６０の中間部から右側に向けて右下方に傾斜するように形成される。第１前側傾斜通路部１７２は、図８に示すように、補助盤カバー１６０の右上部に形成された第１前側通路壁部１６１と前側通路カバー１４０の第１後側通路壁部１４１とに、前後を仕切られて形成され、第１前側傾斜通路部１７２に達した遊技球Ｂ２が右方の連絡通路部１７３に向けて１列で流下するようになっている。
【００３５】
図７に示すように、第１前側傾斜通路部１７２の右端部に繋がって連絡通路部１７３が形成される。連絡通路部１７３は、前後方向に遊技球約１個分の幅を有して、左右方向には略水平に延びて後方に下傾するように形成される。連絡通路部１７３は、補助盤カバー１６０の第１前側通路壁部１６１に前方を仕切られて形成され、連絡通路部１７３に達した遊技球が後方の後側傾斜通路部１７５に向けて落下するようになっている。
【００３６】
連絡通路部１７３の右端部に繋がって第２前側傾斜通路部１７４が形成される。第２前側傾斜通路部１７４は、前後方向に遊技球約１個分の幅を有して、補助盤カバー１６０の右端部から左側に向けて左下方に傾斜するように形成される。連絡通路部１７３は、補助盤カバー１６０の第１前側通路壁部１６１に前方を仕切られて形成され、第２前側傾斜通路部１７４に達した遊技球Ｂ３が左方の連絡通路部１７３に向けて１列で流下するようになっている。
【００３７】
なお、補助盤カバー１６０の第１前側通路壁部１６１は、収容枠１００の右下部に後方に突出して形成された下部ロック機構取付部１２７の後面側を覆うように形成される。下
部ロック機構取付部１２７は、板厚方向の形状が第１前側傾斜通路部１７２、連絡通路部１７３、および第２前側傾斜通路部１７４の上方に部分的に（具体的には、遊技球約１個分の幅だけ）オーバーラップして重なるように、収容枠１００から後方に突出して形成される。
【００３８】
また、図９に示すように、下部ロック機構取付部１２７の上面側は、補助盤カバー１６０における第１前側通路壁部１６１の右側上端部に形成された右側傾斜部１６６に覆われる。右側傾斜部１６６は、補助盤カバー１６０の右側上端部に左右方向に延びて形成され、右側傾斜部１６６の左端部に繋がって中央傾斜部１６５が形成される。中央傾斜部１６５は、右側傾斜部１６６よりも低い高さで左右方向に延びて形成され、中央傾斜部１６５の左端部に幅広傾斜通路部１７１の右端部前列側が繋がるようになっている。
【００３９】
右側傾斜部１６６の上面は、後方に向けて僅かに下傾しており、右側傾斜部１６６の上面に落下した遊技球が後方の第２前側傾斜通路部１７４または連絡通路部１７３に向けて落下するようになっている。また、図８に示すように、中央傾斜部１６５の上面は、後方に向けて僅かに下傾しており、中央傾斜部１６５の上面に落下した遊技球Ｂ４が後方の第１前側傾斜通路部１７２または連絡通路部１７３に向けて落下するようになっている。図７に示すように、中央傾斜部１６５および右側傾斜部１６６の平面視後側に並んで、第１前側傾斜通路部１７２、連絡通路部１７３、および第２前側傾斜通路部１７４が右側傾斜部１６６よりも低い高さで左右方向に延びて形成される。
【００４０】
また、第１前側傾斜通路部１７２、連絡通路部１７３、および第２前側傾斜通路部１７４の平面視後側に並んで、後側傾斜通路部１７５が第１前側傾斜通路部１７２等よりも低い高さで左右方向に延びて形成される。後側傾斜通路部１７５は、図７〜図８に示すように、前後方向に遊技球約１個分の幅を有して、前側通路カバー１４０の前面側右端部から左側に向けて左下方に傾斜するように形成される。後側傾斜通路部１７５は、補助盤カバー１６０の右下部に形成された第２前側通路壁部１６２と前側通路カバー１４０の右前部に形成された第２後側通路壁部１４２とに、前後を仕切られて形成され、後側傾斜通路部１７５に落下した遊技球Ｂ５が左方の湾曲通路部１７６に向けて１列で流下するようになっている。
【００４１】
後側傾斜通路部１７５の左端部に繋がってダクト状の湾曲通路部１７６が形成される。湾曲通路部１７６は、図８および図１１に示すように、第１後側通路壁部１４１および第１前側傾斜通路部１７２の下方において、前側通路カバー１４０と補助盤カバー１６０との間で平面視略Ｓ字形に前後に湾曲して左方に延びるように形成される。
【００４２】
図１０に示すように、湾曲通路部１７６の左端部に繋がってダクト状の排出通路部１７７が形成される。排出通路部１７７は、第１前側傾斜通路部１７２の下方において、前側通路カバー１４０と補助盤カバー１６０との間で側面視略Ｕ字形に上下に湾曲して下方に延びるように形成される。排出通路部１７７の中流部には、排出通路部１７７を流下する遊技球を検出可能な排出センサ１６８が設けられる。排出通路部１７７の下流端部には、下方に開口する球排出口１７８が形成される。これにより、後側傾斜通路部１７５から湾曲通路部１７６に流下した遊技球は、湾曲通路部１７６および排出通路部１７７を順に流下して、球排出口１７８からぱちんこ遊技機ＰＭの外部側に排出される。
【００４３】
なお、図１１に示すように、前側通路カバー１４０の左上部には、賞球払出ユニット３５から賞球として払い出された遊技球が上球皿６ａに向けて流下する賞球払出通路１８１が形成される。また、前側通路カバー１４０左下部には、上球皿６ａが満杯となって賞球払出通路１８１から溢れ出た遊技球が下球皿６ｂに向けて流下する下球皿通路１８２が形成される。また、前側通路カバー１４０左側には、賞球払出ユニット３５から球抜きが行
われた遊技球が球排出口１７８に向けて流下する球抜き排出通路１８３が形成される。
【００４４】
以上のように構成される遊技球回収通路１７０において、遊技盤１０の左後方から幅広傾斜通路部１７１に落下した遊技球Ｂ１は、右方の第１前側傾斜通路部１７２に向けて流下する。幅広傾斜通路部１７１から流下し、もしくは中央傾斜部１６５から落下して、第１前側傾斜通路部１７２に達した遊技球Ｂ２は、右方の連絡通路部１７３に向けて１列で流下する。右側傾斜部１６６から落下して第２前側傾斜通路部１７４に達した遊技球Ｂ３は、左方の連絡通路部１７３に向けて１列で流下する。
【００４５】
なお、遊技盤１０の右後方から右側傾斜部１６６の上面に落下した遊技球は、後方の第２前側傾斜通路部１７４または連絡通路部１７３に向けて落下する。また、遊技盤１０の中央後方から中央傾斜部１６５の上面に落下した遊技球Ｂ４は、後方の第１前側傾斜通路部１７２または連絡通路部１７３に向けて落下する。
【００４６】
第１前側傾斜通路部１７２または第２前側傾斜通路部１７４から流下し、もしくは中央傾斜部１６５または右側傾斜部１６６から落下して、連絡通路部１７３に達した遊技球は、後方の後側傾斜通路部１７５に向けて落下する。後側傾斜通路部１７５に落下した遊技球Ｂ５は、左方の湾曲通路部１７６に向けて１列で流下する。そして、後側傾斜通路部１７５から湾曲通路部１７６に流下した遊技球は、湾曲通路部１７６および排出通路部１７７を順に流下して、球排出口１７８からぱちんこ遊技機ＰＭの外部側に排出される。
【００４７】
［本実施形態における特徴構成］
［遊技球回収通路の特徴構成］
本実施形態において、遊技球回収通路１７０は、収容枠１００の左右に亘り上方が開口して形成されており、収容枠１００の下側に、下部ロック機構１２６が取り付けられる下部ロック機構取付部１２７が板状に形成され、下部ロック機構取付部１２７は、板厚方向の形状が遊技球回収通路１７０の上方に部分的に重なるように収容枠１００から後方に突出して形成される。これにより、下部ロック機構取付部１２７が厚くなるため、下部ロック機構取付部１２７の強度を保つことが可能になる。そのため、下部ロック機構１２６の前枠２に対する取り付け強度（すなわち、下部ロック機構取付部１２７の強度）が低下することなく、遊技球回収通路１７０を前枠２の左右に亘って広範囲に形成することができる。
【００４８】
なお、遊技球回収通路１７０を前枠２の左右に亘って広範囲に形成することができるため、遊技盤１０の後面側に樋部材等を設けることなく、遊技盤１０の後面側に設けられる遊技球の排出口（図示せず）を自由に配置することができる。そのため例えば、大入賞装置（図示せず）を遊技領域ＰＡの右下方の端部近傍に配置することができるため、遊技領域ＰＡを広く用いることが可能になる。また、前側通路カバー１４０の右上部に取り付けられる枠部材側コネクタ部１５０（および、遊技盤１０に取り付けられる遊技盤側コネクタ部６０）についても、従来と同様の配置にすることができる。
【００４９】
また、下部ロック機構取付部１２７の上端部に、遊技球回収通路１７０に向けて後方に傾斜する右側傾斜部１６６が設けられる。これにより、遊技盤１０の右後方から右側傾斜部１６６の上面に落下した遊技球は、後方の遊技球回収通路１７０（第２前側傾斜通路部１７４または連絡通路部１７３）に向けて落下する。そのため、板厚方向の形状が遊技球回収通路１７０の上方に部分的に重なるように、下部ロック機構取付部１２７が形成されても、下部ロック機構取付部１２７の上方から落下する遊技球をスムーズに遊技球回収通路１７０に導くことができる。
【００５０】
また、遊技球回収通路１７０は、下部ロック機構取付部１２７の平面視後側に並んで、
下部ロック機構取付部１２７の上端部よりも低い高さで左右方向に傾斜して延びるように形成され、遊技球を１列で流下させることが可能な第１前側傾斜通路部１７２および第２前側傾斜通路部１７４と、第１前側傾斜通路部１７２および第２前側傾斜通路部１７４の平面視後側に並んで、第１前側傾斜通路部１７２および第２前側傾斜通路部１７４よりも低い高さで左右方向に傾斜して延びるように形成され、遊技球を球排出口１７８に向けて１列で流下させることが可能な後側傾斜通路部１７５とを有して形成される。これにより、第１前側傾斜通路部１７２および第２前側傾斜通路部１７４と、後側傾斜通路部１７５とが段差状に離れて形成されるため、遊技球回収通路１７０を流下する複数列の遊技球同士が噛合って詰まるのを防止することができる。また、第１前側傾斜通路部１７２と後側傾斜通路部１７５との傾斜方向が反対方向に形成されることで、遊技球が遊技球回収通路１７０を迂回するように流下するため、遊技球回収通路１７０において遊技球を緩やかに流下させて、遊技球が詰まるのを防止することができる。
【００５１】
［変形例］
上述の実施形態において、第１前側傾斜通路部１７２の右方に、第１前側傾斜通路部１７２と傾斜方向が反対の第２前側傾斜通路部１７４が形成されており、これにより、第１前側傾斜通路部１７２を勢いよく流下する遊技球は、一旦連絡通路部１７３を右方に通過して第２前側傾斜通路部１７４を上るため、遊技球回収通路１７０において遊技球を緩やかに流下させることができる。前側傾斜通路部の形状は、これに限定されるものではなく、例えば、前側傾斜通路部（図示せず）が補助盤カバー１６０の中間部から右端に向けて右下方に傾斜するように形成されて、補助盤カバー１６０の右端部に当該前側傾斜通路部（図示せず）と繋がる連絡通路部（図示せず）が形成されるようにしてもよい。
【００５２】
上述の実施形態において、本発明が適用される弾球遊技機の一例として、ぱちんこ遊技機を例示して説明したが、これに限定されるものではなく、例えば、アレンジボール、雀球遊技機などについても同様に適用し、同様の効果を得ることができる。
【符号の説明】
【００５３】
ＰＭ  ぱちんこ遊技機（弾球遊技機）
ＰＡ  遊技領域
１  外枠
２  前枠
５  ガラス枠
１０  遊技盤
１００  収容枠
１２１  上部ロック機構
１２２  上部ロック機構取付部
１２６  下部ロック機構
１２７  下部ロック機構取付部
１４０  前側通路カバー（通路部材）
１６０  補助盤カバー
１６５  中央傾斜部
１６６  右側傾斜部
１７０  遊技球回収通路
１７１  幅広傾斜通路部
１７２  第１前側傾斜通路部
１７３  連絡通路部
１７４  第２前側傾斜通路部
１７５  後側傾斜通路部
１７６  湾曲通路部
１７７  排出通路部
１７８  球排出口
【図１】
2016131605.tif 000003
【図２】
2016131605.tif 000004
【図３】
2016131605.tif 000005
【図４】
2016131605.tif 000006
【図５】
2016131605.tif 000007
【図６】
2016131605.tif 000008
【図７】
2016131605.tif 000009
【図８】
2016131605.tif 000010
【図９】
2016131605.tif 000011
【図１０】
2016131605.tif 000012
【図１１】
2016131605.tif 000013